(57)【要約】【課題】  高熱源の温度上昇を効率的に抑制するとともに、装置内への外気からの粉塵流入による光学部材への影響を抑制することができる眼科装置を提供する。【解決手段】  熱源及び光学基台を含む光学ヘッド部と、光学基台から熱的に離間するように熱源を保持する熱源保持部材と、吸気口及び排気口を有し、熱源、熱源保持部材及び光学基台を覆うヘッド外装カバーとを備え、熱源保持部材は、吸気口から光学ヘッド部に流入する空気が熱源を経由して排気口に向かう流路を形成する、眼科装置。【選択図】図３
2020162804.tif 000002
【特許請求の範囲】
【請求項１】
熱源及び光学基台を含む光学ヘッド部と、
前記光学基台から熱的に離間するように前記熱源を保持する熱源保持部材と、
吸気口及び排気口を有し、前記熱源、前記熱源保持部材及び前記光学基台を覆うヘッド外装カバーと、
を備え、
前記熱源保持部材は、前記吸気口から前記光学ヘッド部に流入する空気が前記熱源を経由して前記排気口に向かう流路を形成する、眼科装置。
【請求項２】
前記流路は前記ヘッド外装カバーと前記熱源保持部材との間に形成される、請求項１に記載の眼科装置。
【請求項３】
熱源及び光学基台を含む光学ヘッド部と、
前記光学基台から熱的に離間するように前記熱源を保持する熱源保持部材と、
吸気口及び排気口を有し、前記熱源、前記熱源保持部材及び前記光学基台を覆うヘッド外装カバーと、
を備え、
前記ヘッド外装カバーと前記熱源保持部材との間に、前記光学ヘッド部に流入した空気の前記排気口への流路が形成される、眼科装置。
【請求項４】
前記熱源保持部材は、前記吸気口から前記光学ヘッド部に流入する空気が前記光学基台を経由せずに前記熱源を経由して前記排気口に向かう流路を形成する、請求項１乃至３のいずれか一項に記載の眼科装置。
【請求項５】
前記熱源保持部材は、前記光学ヘッド部に流入する空気の前記光学基台側への流入を制限するように配置される、請求項１乃至４のいずれか一項に記載の眼科装置。
【請求項６】
前記熱源保持部材は、前記光学ヘッド部に流入する空気が前記光学基台へ流入することを阻む壁部を有する、請求項１乃至５のいずれか一項に記載の眼科装置。
【請求項７】
前記熱源保持部材は、略コの字状の形状を有する、請求項１乃至６のいずれか一項に記載の眼科装置。
【請求項８】
前記熱源、前記熱源保持部材及び前記排気口は、前記光学ヘッド部において、顔受け側を除く側面方向に設けられている、請求項１乃至７のいずれか一項に記載の眼科装置。
【請求項９】
前記排気口の近傍に設けられた排気ファンを更に備える、請求項１乃至８のいずれか一項に記載の眼科装置。
【請求項１０】
前記熱源とは異なる第二の熱源と、
前記光学基台から熱的に離間するように前記第二の熱源を保持する第二の熱源保持部材と、
を更に備え、
前記ヘッド外装カバーは、前記第二の熱源を経由した空気が前記光学基台へ流入することを阻む壁部を有する、請求項９に記載の眼科装置。
【請求項１１】
前記熱源の温度を検知する検知部を更に備え、
前記排気ファンは前記検知部の検知結果に基づいて制御される、請求項９又は１０に記載の眼科装置。
【請求項１２】
前記熱源の温度が第一の閾値以上になったら、前記排気ファンの出力が上げられ、
前記熱源の温度が前記第一の閾値よりも低い温度である第二の閾値以下になったら、前記排気ファンの出力が下げられる、請求項１１に記載の眼科装置。
【請求項１３】
前記熱源を覆い、略密閉する熱源カバーを更に備え、
前記熱源カバーは下側に吸気口を有し、側面に排気口を有する、請求項１乃至１２のいずれか一項に記載の眼科装置。
【請求項１４】
前記熱源保持部材及び前記熱源カバーの材料は金属である、請求項１３に記載の眼科装置。
【請求項１５】
前記熱源カバーの前記吸気口及び前記排気口の開口は１つ当たりの直径が１０ｍｍ以下の穴を有する、請求項１３又は１４に記載の眼科装置。
【請求項１６】
前記熱源とは異なる第三の熱源と、
吸気口及び排気口を有するベース外装カバーと、
側面方向に設けられた排気ファンと、
を含むベース部を更に備える、請求項１乃至１５のいずれか一項に記載の眼科装置。
【請求項１７】
熱源及び光学基台を含む光学ヘッド部と、
吸気口及び排気口を有し、前記熱源及び前記光学基台を覆うヘッド外装カバーと、
前記光学ヘッド部に流入する空気の前記光学基台側への流入を制限する制限部材と、
を備える、眼科装置。
【請求項１８】
前記眼科装置は走査型の眼科装置である、請求項１乃至１７のいずれか一項に記載の眼科装置。
【請求項１９】
前記眼科装置はＯＣＴ装置であり、
前記光学基台を挟んで前記熱源の逆側にファイバを備える、請求項１乃至１８のいずれか一項に記載の眼科装置。
【請求項２０】
前記熱源はガルバノドライバであり、
前記光学基台は前記ガルバノドライバにより制御されるガルバノミラーを有する、請求項１乃至１９のいずれか一項に記載の眼科装置。
【発明の詳細な説明】
【技術分野】
【０００１】
本発明は、眼科装置に関する。
【背景技術】
【０００２】
現在、低コヒーレンス光による干渉を利用した光干渉断層撮像法（Ｏｐｔｉｃａｌ Ｃｏｈｅｒｅｎｃｅ Ｔｏｍｏｇｒａｐｈｙ：ＯＣＴ）を用いた装置（以下、ＯＣＴ装置）が実用化されている。これは、被検査物の断層画像を高分解能で且つ非侵襲に取得することができる。そのため、ＯＣＴ装置は、特に眼科領域において、被検眼の眼底の断層画像を得るうえで、必要不可欠な装置になりつつある。また、眼科領域以外でも、皮膚の断層観察へのＯＣＴ装置の使用や、内視鏡やカテーテルを用いて構成したＯＣＴ装置の、消化器や循環器の壁面断層撮像等への使用が試みられている。
【０００３】
眼科分野のＯＣＴ装置では、低コヒーレンス光である測定光の被検眼からの後方散乱光と、参照光との干渉光を、回折格子により周波数成分に分光しラインセンサなどの受光素子で受ける。その後、受光素子からの信号をフーリエ変換することで、被検眼の深さ方向の情報を取得し、網膜断層画像を構築する。被検眼からの後方散乱光に基づく微弱な信号を画像化しているため、信号対雑音比及び分解能の高い画像を生成するためには、干渉光を受光素子に正確に導く必要がある。
【０００４】
一方、診療現場では、複数の医療機器を設置する必要があることから、個々の装置をできるだけ小型化することが望まれている。このとき、単にＯＣＴ装置を小型化するだけだと、装置の筐体内の空間が減るために部材同士の距離が短くなる。そのため、電気部品等の発熱による光学系等への影響（熱膨張や熱変位に起因する精度の低下）が無視できなくなる。そこで、発熱源を光学系から離間した上部に配置し、発熱源で熱された空気によって光学系に熱が伝わらないように空冷流路を形成したＯＣＴ装置が特許文献１に開示されている。
【先行技術文献】
【特許文献】
【０００５】
【特許文献１】特開２０１８−０１５３９８号公報
【発明の概要】
【発明が解決しようとする課題】
【０００６】
しかしながら、特許文献１に開示の技術では、高熱源を装置上部へ配置し、流入した外気を、高熱源を除く装置内を経由させた後、高熱源へと流入させて、装置外へ流出させる。そのため、高熱源へ流入する空気の温度は外気よりも温められた状態であり、高熱源自体の温度上昇の抑制としては効率的ではない。また、外気が装置内全体にわたって流れることで、装置外環境からの粉塵が装置全体にわたって移動することになり、光学部材が汚れ、光学性能の低下に繋がる可能性がある。
【０００７】
そこで、本発明は、高熱源の温度上昇を効率的に抑制するとともに、装置内への外気からの粉塵流入による光学部材への影響を抑制することができる眼科装置を提供することを目的の一つとする。
【課題を解決するための手段】
【０００８】
本発明の一実施態様に係る眼科装置は、熱源及び光学基台を含む光学ヘッド部と、前記光学基台から熱的に離間するように前記熱源を保持する熱源保持部材と、吸気口及び排気口を有し、前記熱源、前記熱源保持部材及び前記光学基台を覆うヘッド外装カバーとを備え、前記熱源保持部材は、前記吸気口から前記光学ヘッド部に流入する空気が前記熱源を経由して前記排気口に向かう流路を形成する。
【発明の効果】
【０００９】
本発明によれば、高熱源の温度上昇を効率的に抑制するとともに、装置内への外気からの粉塵流入による光学部材への影響を抑制することができる。
【図面の簡単な説明】
【００１０】
【図１】第一実施形態に係るＯＣＴ装置の概略的な構成を示す。
【図２】第一実施形態に係る撮像光学系の配置の一例を示す。
【図３】第一実施形態に係るＯＣＴ装置の空冷流路を説明するための図である。
【図４】第一、第二、第三、及び第四実施形態に係るＯＣＴ装置の外装の一例を示す。
【図５】第一実施形態に係るスキャナ制御部回りの空冷流路を説明するための図である。
【図６】第二実施形態に係るＯＣＴ装置の空冷流路を説明するための図である。
【図７】第三実施形態に係るＯＣＴ装置の空冷流路を説明するための図である。
【図８】第四実施形態に係るＯＣＴ装置の空冷流路を説明するための図である。
【発明を実施するための形態】
【００１１】
以下、本発明を実施するための例示的な実施形態を、図面を参照して詳細に説明する。ただし、以下の実施形態で説明する寸法、材料、形状、及び構成要素の相対的な位置等は任意であり、本発明が適用される装置の構成又は様々な条件に応じて変更できる。また、図面において、同一であるか又は機能的に類似している要素を示すために図面間で同じ参照符号を用いる。なお、以下において、空気が構成要素を「経由する」とは、空気が当該構成要素を通り抜ける、即ち「貫通」する必要はなく、図面において示されるように空気が当該構成要素に当たる、即ち「接触」するような状況も含むものとする。
【００１２】
［第一実施形態］
（装置の概略構成）
以下、図１乃至５を参照して第一実施形態に係る眼科装置の一例であるＯＣＴ装置について説明する。まず、図１を参照して本実施形態に係るＯＣＴ装置の概略的な構成を説明する。図１は、ＯＣＴ装置の概略的な構成を示す側面図である。
【００１３】
ＯＣＴ装置１には、光学ヘッド部１０、ステージ部２０、ベース部３０、及び顔受け部４０が設けられている。また、ＯＣＴ装置１には、制御部９０が接続されている。光学ヘッド部１０は、眼底画像及び断層画像を撮像するための測定光学系を含む。また、光学ヘッド部１０は、測定光学系に含まれるスキャナを制御するためのスキャナ制御部５０を含む。スキャナ制御部５０は、ＯＣＴ装置１内において特に熱量が大きい熱源である。
【００１４】
ステージ部２０は、不図示のモータを用いて、ベース部３０に対して光学ヘッド部１０を図中ｘｙｚ方向に移動させることができる。ステージ部２０は、下方に水平動（ｘｚ方向）、上方に上下動（ｙ方向）の駆動部を有する。ベース部３０は、光学ヘッド部１０、ステージ部２０、及び顔受け部４０が設けられた基台であり、電源等の不図示の電装部品を内蔵する。顔受け部４０は、被検者の顎と額とを支持することで、検査時の被検者の眼（被検眼）の固定を促す。
【００１５】
制御部９０は、ＯＣＴ装置１、表示部９２、及び入力部９３等に接続され、これらの制御を行う。例えば、制御部９０は光学ヘッド部１０から出力される断層信号に基づいて断層画像の構成等を行うことができる。制御部９０は、ＣＰＵ（Ｃｅｎｔｒａｌ  Ｐｒｏｃｅｓｓｉｎｇ  Ｕｎｉｔ）等のプロセッサを有する汎用のコンピュータを用いて構成されてもよいし、ＯＣＴ装置１の専用のコンピュータとして構成されてもよい。また、制御部９０には、記憶部９１が設けられている。記憶部９１は、断層画像の撮像用のプログラムなどを記憶することができる。記憶部９１は、ハードディスク等の任意の記憶媒体で構成されることができる。
【００１６】
表示部９２は、任意のモニタで構成され、制御部９０から送られる信号に基づいて、患者の情報や断層画像等の各種情報や任意のユーザインタフェース等を表示することができる。入力部９３は、制御部９０への指示を行うためのものであり、例えばキーボードやマウスから構成される。
【００１７】
ここでは、制御部９０、記憶部９１、表示部９２及び入力部９３を、ＯＣＴ装置１の外部に設けているが、これらをＯＣＴ装置１に内蔵してもよい。また、表示部９２をタッチディスプレイ等とし、入力部９３として機能させてもよい。
【００１８】
（光学系の構成）
次に、図２を参照して、ＯＣＴ装置１における光学系の構成について説明する。まず、光学ヘッド部１０の内部における光学系について説明する。
【００１９】
被検査物の一例である被検眼Ｅに対向して対物レンズ１００が設置され、その光軸上に第一ダイクロイックミラー１０１が配置される。対物レンズ１００からの光路は、第一ダイクロイックミラー１０１によって、ＯＣＴ光学系の測定光路Ｌ１、並びに内部固視灯及びＳＬＯ光学系光路Ｌ２に至る光路と、前眼部観察光路Ｌ３とに光線の波長帯域ごとに分岐される。また、第一ダイクロイックミラー１０１の反射方向には第二ダイクロイックミラー１０２が配置される。第一ダイクロイックミラー１０１の反射方向における光路は、第二ダイクロイックミラー１０２によって、ＯＣＴ光学系の測定光路Ｌ１と、内部固視灯及びＳＬＯ光学系光路Ｌ２とに光線の波長帯域ごとに分岐される。ここで、ＳＬＯとは、走査型検眼鏡（Ｓｃａｎｎｉｎｇ  Ｌａｓｅｒ  Ｏｐｈｔｈａｌｍｏｓｃｏｐｅ）のことをいう。
【００２０】
なお、本実施形態に係る構成では、第一ダイクロイックミラー１０１の透過方向に前眼部観察光路Ｌ３、反射方向にＯＣＴ光学系の測定光路Ｌ１、並びに内部固視灯及びＳＬＯ光学系光路Ｌ２に至る光路が配置される。また、第二ダイクロイックミラー１０２の透過方向にＯＣＴ光学系の測定光路Ｌ１、反射方向に内部固視灯及びＳＬＯ光学系光路Ｌ２が配置される。しかしながら、各ダイクロイックミラーの透過方向及び反射方向に設けられる光路は互いに逆であってもよい。
【００２１】
内部固視灯及びＳＬＯ光学系光路Ｌ２は、後述する走査手段であるスキャナを持ち、被検眼Ｅの眼底上にて照明光を走査することによって該眼底の二次元像を得るための構成を有している。また、第三ダイクロイックミラー１０９によって、光源１１０に至るＳＬＯ光学系光路と固視灯１１１に至る内部固視灯光路とに波長帯域ごとに分岐される。
【００２２】
内部固視灯及びＳＬＯ光学系光路Ｌ２には、第二ダイクロイックミラー１０２から順に、レンズ１０３、Ｘスキャナ１０４、Ｙスキャナ１０５、合焦レンズ１０６、光路分離部材１０７、レンズ１０８、及び第三ダイクロイックミラー１０９が配置される。また、第三ダイクロイックミラー１０９の透過方向に固視灯１１１、反射方向に光源１１０が配置されている。なお、第三ダイクロイックミラー１０９の透過方向に光源１１０、反射方向に固視灯１１１が配置されてもよい。
【００２３】
光源１１０は７８０ｎｍの波長の光を発する。固視灯１１１は、被検眼Ｅを任意の方向に固視を促すために用いられ、例えば可視域の波長を発光するレーザーもしくはＬＥＤ（Ｌｉｇｈｔ  Ｅｍｉｔｔｉｎｇ  Ｄｉｏｄｅ）で構成される。合焦レンズ１０６は、固視灯１１１及び光源１１０の合焦調整のため、制御部９０で制御される不図示のモータによって光軸方向（図中矢印方向）に駆動される。
【００２４】
また、Ｘスキャナ１０４及びＹスキャナ１０５は、光源１１０から発せられた照明光を被検眼Ｅの眼底上で走査するために用いられる走査手段である。Ｘスキャナ１０４は、照明光をＸ方向に高速走査するために、ポリゴンミラーによって構成されている。Ｙスキャナ１０５はガルバノミラーによって構成されている。なお、Ｘスキャナ１０４は共振型のミラーやガルバノミラーで構成されていてもよい。レンズ１０３は、Ｘスキャナ１０４及びＹスキャナ１０５の中心位置付近を焦点位置として配置されている。
【００２５】
光路分離部材１０７は、穴あきミラーや、中空のミラーが蒸着されたプリズムであり、光源１１０による照明光と、眼底からの戻り光とを分離する。光路分離部材１０７の反射光の光路上には、レンズ１１２、ピンホール１１３及びシングルディテクター１１４が配置される。ピンホール１１３は、被検眼Ｅの眼底と略共役位置に配置され、眼底上とピンホール１１３とで共焦点光学系を構成している。
【００２６】
眼底を走査した光源１１０からの照明光は、眼底もしくは前眼部にて散乱・反射される。その散乱・反射された光についてピンホール１１３にて必要な光のみを透過させ、シングルディテクター１１４で受光する。シングルディテクター１１４は、ＡＰＤ（アバランシェフォトダイオード）で構成される。制御部９０は、シングルディテクター１１４から出力される信号に基づいて、被検眼Ｅの眼底正面画像を生成することができる。
【００２７】
前眼部観察光路Ｌ３には、第一ダイクロイックミラー１０１より順に、レンズ１１５及び前眼観察用のＣＣＤ１１６が配置される。ＣＣＤ１１６は不図示の前眼観察用照明光の波長、具体的には９７０ｎｍ付近に感度を持つものである。制御部９０は、ＣＣＤ１１６から出力される信号に基づいて、被検眼Ｅの前眼部観察画像を生成することができる。
【００２８】
測定光路Ｌ１は、被検眼Ｅの眼底の断層画像を撮像するための構成を有している。より具体的には、測定光路Ｌ１は後述するＯＣＴの測定光を被検眼Ｅに照射する光学系の一部を構成する。測定光路Ｌ１には、第二ダイクロイックミラー１０２より順に、レンズ１１７、ミラー１１８、ＯＣＴＸスキャナ１１９、ＯＣＴＹスキャナ１２０、ＯＣＴ合焦レンズ１２１、レンズ１２２、及びファイバ端部１２３が配置される。
【００２９】
ファイバ端部１２３は、本実施形態において被検眼Ｅの眼底部と光学的な共役関係にあり、測定光を測定光路Ｌ１に入射させる。ＯＣＴ合焦レンズ１２１は、測定光の眼底に対する合焦調整をするために、制御部９０によって制御される不図示のモータによって光軸方向（図中矢印方向）に駆動される。合焦調整は、ファイバ端部１２３から出射する光を眼底上に結像するように行われる。
【００３０】
測定光走査手段であるＯＣＴＸスキャナ１１９及びＯＣＴＹスキャナ１２０は、測定光を被検眼Ｅの眼底上で走査するために配置されている。ＯＣＴＸスキャナ１１９は、測定光をｘ方向に走査し、ＯＣＴＹスキャナ１２０は測定光をｙ方向に走査するために用いられる。ＯＣＴＸスキャナ１１９及びＯＣＴＹスキャナ１２０は、ガルバノミラーによって構成されることができる。
【００３１】
次に、光源１２４からファイバ端部１２３に至る光路、参照光学系、及び分光器光学系の構成について説明する。光源１２４は、代表的な低コヒーレンス光源であるＳＬＤ（Ｓｕｐｅｒ  Ｌｕｍｉｎｅｓｃｅｎｔ  Ｄｉｏｄｅ）である。本実施形態では、光源１２４として中心波長が８５５ｎｍ、波長バンド幅が約１００ｎｍであるＳＬＤを用いた。ここで、波長バンド幅は、得られる断層画像の光軸方向の分解能に影響するため、重要なパラメータである。また、光源の種類は、ここではＳＬＤを選択したが、低コヒーレンス光が出射できればよい。中心波長は眼を測定することを鑑みて、近赤外光を用いることができる。また、同じＮＡならば中心波長は得られる断層画像の横方向の分解能に影響するため、中心波長はなるべく短波長とすることができる。双方の理由から、本実施形態では中心波長を８５５ｎｍとした。
【００３２】
光源１２４から出射された光は、光ファイバ１２５−１を通り、カプラ１２５に至る。シングルモードの光ファイバ１２５−１乃至１２５−４はカプラ１２５に接続されている。ここで、光源１２４、カプラ１２５及び光ファイバ１２５−１乃至１２５−４は、カプラ光学系１２５−５を構成する。
【００３３】
光源１２４から出射された光はカプラ１２５にて測定光及び参照光に分割され、測定光は光ファイバ１２５−２を介して測定光路Ｌ１に、参照光は光ファイバ１２５−３を介して参照光学系に導かれる。光ファイバ１２５−２の出射端部は前述したファイバ端部１２３である。測定光は測定光路Ｌ１を通じ、被検眼Ｅの眼底に照射され、網膜による反射や散乱により同じ光路を通じてカプラ１２５に到達する。
【００３４】
一方、カプラ１２５で分割され、光ファイバ１２５−３により導かれた参照光は、参照光学系に出射される。参照光学系には、光ファイバ１２５−３の出射端部より順に、レンズ１２６、分散補償ガラス１２７、及びミラー１２８が配置されている。
【００３５】
光ファイバ１２５−３の出射端より出射された参照光は、レンズ１２６及び分散補償ガラス１２７を介してミラー１２８に到達し反射される。分散補償ガラス１２７は、測定光と参照光の分散を合わせるために光路中に挿入されている。ミラー１２８により反射された参照光は同じ光路を戻り、カプラ１２５に到達する。ミラー１２８は、制御部９０により制御される不図示のモータ及び駆動機構によって、図中矢印で示される光軸方向に調整可能に保持される。
【００３６】
被検眼Ｅから戻った測定光の戻り光とミラー１２８から反射された参照光とは、カプラ１２５によって合波され干渉光となる。ここで、戻り光の光路長と参照光の光路長が略同一となったときに干渉を生じる。そのため、先述の駆動機構によりミラー１２８を光軸方向に移動させ、被検眼Ｅによって変わる測定光の光路長に対して、参照光の光路長を合わせて、干渉光を発生させることができる。干渉光は光ファイバ１２５−４を介して分光器６０に導かれる。
【００３７】
分光器６０は、干渉光を受光する検出部を構成する。分光器６０には、レンズ１２９、１３１、回折格子１３０、及びラインセンサ１３２が配置される。光ファイバ１２５−４から出射された干渉光はレンズ１２９を介して略平行光となった後、回折格子１３０で分光され、レンズ１３１によってラインセンサ１３２に結像される。
【００３８】
検出器であるラインセンサ１３２によって取得された干渉信号における輝度分布に関する情報は、制御部９０に出力信号として出力される。制御部９０は、ラインセンサ１３２から出力された干渉信号に基づいて断層画像を生成することができる。即ち、制御部９０は、分光器６０からの出力信号を処理して、被検眼Ｅの眼底の断層画像を取得する演算処理部を構成する。
【００３９】
本実施形態では、測定光路Ｌ１に配置される各部材で構成される測定光学系、参照光学系及び分光器光学系により、マイケルソン干渉計が構成される。これに対し、干渉計としてマッハツェンダー干渉計を用いてもよい。
【００４０】
以上述べた光学ヘッド部１０における駆動部の動作、固視灯１１１の点灯制御、断層像等の撮像動作、ＯＣＴ装置１により取得した強度情報に基づく画像の生成処理等は制御部９０によって制御、実行される。
【００４１】
ここで、ＳＬＯ光学系光路Ｌ２上のＹスキャナ１０５、並びに測定光路Ｌ１上のＯＣＴＸスキャナ１１９及びＯＣＴＹスキャナ１２０は、スキャナ制御部５０によって制御される。スキャナ制御部５０は、ガルバノドライバの一例であり、高発熱な熱源となる。そのため、スキャナ制御部５０を光学系近傍に配置すると光学系に熱影響を与えてしまう。一方で、スキャナ制御部５０は各スキャナと太い束線で接続されるため、スキャナ制御部５０を光学ヘッド部１０以外に設けると、ステージ部２０を介して太い駆動束線により各スキャナに接続されることになり、ＯＣＴ装置の小型化が困難になる。
【００４２】
そこで、本実施形態では、スキャナ制御部５０を光学ヘッド部１０内に設けつつ、スキャナ制御部５０による光学系への熱影響を抑制するための空冷流路を形成する。光学ヘッド部１０内におけるスキャナ制御部５０の具体的な配置に関しては、後述の流路の構成の項にて説明する。
【００４３】
なお、ポリゴンミラーや共振型のミラーで構成されるＳＬＯ光学系光路Ｌ２上のＸスキャナ１０４の制御部は高発熱ではないため、スキャナ制御部５０とは別個に設けられることができる。ただし、Ｘスキャナ１０４の制御もスキャナ制御部５０によって行う構成としてもよい。また、Ｘスキャナ１０４がガルバノミラーで構成される場合には、Ｘスキャナ１０４もスキャナ制御部５０によって制御されることとなる。
【００４４】
（流路の構成）
次に、図３（ａ）乃至５を参照して、第一実施形態に係る空冷流路の構成について説明する。最初に、図３（ａ）及び（ｂ）を用いて、スキャナ制御部５０の保持について説明する。図３（ａ）はＯＣＴ装置１の概略側面図であり、図３（ｂ）は図３（ａ）に示される線３Ｂ−３Ｂに沿ったＯＣＴ装置１の概略断面図である。
【００４５】
本実施形態に係るＯＣＴ装置１では、熱源であるスキャナ制御部５０は、図３（ｂ）に示されるように、光学ヘッド部１０内において図中の左側面側に設けられている。光学ヘッド部１０には、図３（ｂ）に示されるように、スキャナ制御部５０、温度センサ５１、スキャナ制御部保持部材１５２、支持部材１５３、ファイバ保持部材１５１、光学基台１５０、ファン１５４、及びヘッド外装カバー１５５が設けられている。
【００４６】
光学基台１５０には、先述のＯＣＴの測定光学系や参照光学系、前眼部観察光学系、ＳＬＯ光学系等が設けられており、光学基台１５０は、ステージ部２０上に配置されている。ファイバ保持部材１５１は、先述のカプラ光学系１２５−５を保持し、光学基台１５０の図中の右側面と当接するように設けられている。
【００４７】
スキャナ制御部保持部材１５２は、熱源保持部材の一例であり、スキャナ制御部５０を保持し、光学基台１５０の図中の左側面と間を空けて設けられている。スキャナ制御部保持部材１５２は、ステージ部２０の上下駆動部や、ファイバ保持部材１５１と連結された支持部材１５３によって保持されることで、光学基台１５０とは直接接触しないように設けられる。このため、スキャナ制御部保持部材１５２は、スキャナ制御部５０を光学基台１５０に対して熱的に離間させることができる。なお、支持部材１５３はスキャナ制御部保持部材１５２の一部として構成されてもよいし、ファイバ保持部材１５１の一部として構成されてもよい。
【００４８】
ファン１５４は排気ファンの一例である。ファン１５４は、スキャナ制御部保持部材１５２に取り付けられた不図示のファン保持部材によって保持され、ヘッド外装カバー１５５に設けられたルーバ等の開口部１５５１に向けて空気を送り、光学ヘッド部１０内の空気の排気を促すことができる。なお、開口部１５５１は、ファン１５４の正面に対応する部分に設けられることができる。また、ファン１５４及びファン保持部材はヘッド外装カバー１５５に設けられてもよい。この場合、ファン保持部材を設けず、ファン１５４をヘッド外装カバー１５５に直接取り付けてもよい。
【００４９】
ファン１５４は、制御部９０により、スキャナ制御部５０の温度に応じて出力を変動するよう制御されることができる。制御部９０は、スキャナ制御部５０に設けられた温度センサ５１（検知部）からの出力に基づいて、スキャナ制御部５０の温度を把握することができる。例えば、制御部９０は、スキャナ制御部５０の温度が第一閾値である６０℃以上であればファン１５４の出力を上げ、スキャナ制御部５０の温度が第二閾値である５８℃以下になったらファン１５４の出力を下げる（元の出力に戻す）ことができる。なお、本実施形態では、ファンの制御に関するそれぞれの閾値は、ＯＣＴ装置１の外装温度の一般的な制限温度に基づいて６０℃及び５８℃に設定しているが、これに限られず、任意に設定されてよい。また、本実施形態では制御部９０によりファン１５４を制御したが、ファン１５４を制御する他の制御部を光学ヘッド部１０等に設けてもよい。
【００５０】
次に、図４を参照して、本実施形態に係る空冷流路の流入出口について説明する。ヘッド外装カバー１５５は、光学基台１５０やスキャナ制御部５０、スキャナ制御部保持部材１５２、支持部材１５３、ファイバ保持部材１５１等を覆っている。ステージ外装カバー１５６は、ステージ部２０の特に水平動駆動部を覆っている。また、ベース外装カバー３００はベース部３０を覆っている。
【００５１】
ステージ部２０により、光学ヘッド部１０が上下動するとき、ヘッド外装カバー１５５は上下に移動するが、ステージ外装カバー１５６は上下に移動しない。そのため、ヘッド外装カバー１５５とステージ外装カバー１５６の間には装置全周に微小の隙間１５５２（開口部）が設けられている。
【００５２】
また、上述のように、光学ヘッド部１０では、ファン１５４によりヘッド外装カバー１５５の開口部１５５１に向けて空気が送られ、排気が促される。この際、光学ヘッド部１０内の空気が排気されることに伴い、外気が隙間１５５２から吸気される。そのため、隙間１５５２は空冷流路の流入口（吸気口）となり、開口部１５５１は空気流路の流出口（排出口）となる。
【００５３】
最後に、図５を参照して、スキャナ制御部５０及びスキャナ制御部保持部材１５２の構成の詳細について説明する。スキャナ制御部５０は電気基板で構成されている。スキャナ制御部保持部材１５２は、スキャナ制御部５０が空冷流路の気流に対し直交しないようにスキャナ制御部５０を保持する。また、スキャナ制御部保持部材１５２は、空気の流れを制限するための略垂直な壁部を形成し、空気の流路を形成する。なお、スキャナ制御部５０及びスキャナ制御部保持部材１５２に対向するヘッド外装カバー１５５の内壁も、当該空気の流路の一部を形成することができる。この場合、空気の流路はヘッド外装カバー１５５とスキャナ制御部保持部材１５２との間に形成されることとなる。
【００５４】
なお、本実施形態ではスキャナ制御部保持部材１５２は、図５に示すように、略コの字状に、すなわち両側部に側壁部を有するように形成されている。このため、スキャナ制御部保持部材１５２は、光学ヘッド部１０内に流入した空気が水平方向に広がらずに上方へ効率的に流れるように空気の流路を形成することができる。また、空気の流れを制限するための壁の一部を不図示のファン保持部材で構成してもよい。さらに、スキャナ制御部保持部材１５２の形状は略コの字状に限られず、側壁部を有さない形状であってもよい。この場合には、スキャナ制御部保持部材１５２に略直交する、ヘッド外装カバー１５５内に設けられた不図示の略垂直な仕切り壁や内壁によって空気の流れを制限するための壁を構成してもよい。
【００５５】
なお、スキャナ制御部保持部材１５２は、光学ヘッド部１０に流入する空気の光学基台１５０側への流入を制限するように配置される。このため、スキャナ制御部保持部材１５２は、光学ヘッド部１０に流入する空気の光学基台側への流入を制限する制限部材の一例として機能することができる。
【００５６】
以下、図３（ａ）乃至５を参照して、上述の構成における光学ヘッド部１０内の空気の流れを説明する。図３（ａ）乃至５には、上述の構成に加えて、外気が光学ヘッド部１０内に流れ込む際の流路ＦＬ１−１、光学ヘッド部１０内における流路ＦＬ１−２、及び光学ヘッド部１０から流れ出る際の流路ＦＬ１−３が示されている。
【００５７】
まず、流路ＦＬ１−１で示されるように、ヘッド外装カバー１５５とステージ外装カバー１５６の間の隙間１５５２から外気が光学ヘッド部１０内へ流れ込む。光学ヘッド部１０内へ流入した空気は、ファン１５４の排気に引かれて、スキャナ制御部５０へ流入する。スキャナ制御部５０に流入した空気は、流路ＦＬ１−２で示されるように、スキャナ制御部保持部材１５２により流れが制限され、スキャナ制御部保持部材１５２の奥にある光学基台１５０まで流入することが阻まれる。スキャナ制御部５０を経由した空気は、流路ＦＬ１−３で示されるように、ファン１５４により、ヘッド外装カバー１５５の開口部１５５１に向けて送られ、光学ヘッド部１０外へと排出される。
【００５８】
これにより、外気は他の熱源により温度上昇することなく、高熱源であるスキャナ制御部５０へ流入することになるので、より効率的に高熱源を冷却することができる。さらに、流入した外気が、光学部材を含む光学基台１５０を経由しないため、外環境からの粉塵が、光学基台１５０に流入することを抑制し、光学部材の汚れといった光学性能への粉塵影響を低減することができる。
【００５９】
なお、隙間１５５２は前述のようにＯＣＴ装置１の全周、より具体的には光学ヘッド部１０の全周にわたって設けられる。しかしながら、空気は最短の流路で流れる傾向があるため、光学ヘッド部１０に流入する空気は、主に、開口部１５５１が設けられる光学ヘッド部１０の側面側の隙間１５５２から流入することとなる。そのため、ファイバ保持部材１５１が設けられる光学ヘッド部の側面側の隙間１５５２から流入する空気は微量となり、このような空気に含まれる粉塵による光学性能への影響は無視できる。
【００６０】
上記のように、本実施形態に係るＯＣＴ装置１は、光学ヘッド部１０と、スキャナ制御部保持部材１５２と、ヘッド外装カバー１５５とを備える。光学ヘッド部１０は、スキャナ制御部５０及び光学基台１５０を含む。スキャナ制御部保持部材１５２は、光学基台１５０から熱的に離間するようにスキャナ制御部５０を保持する。ヘッド外装カバー１５５は隙間１５５２及び開口部１５５１を有し、スキャナ制御部５０、スキャナ制御部保持部材１５２及び光学基台１５０を覆う。スキャナ制御部保持部材１５２は、隙間１５５２から光学ヘッド部１０に流入する空気が光学基台１５０を経由せずにスキャナ制御部５０を経由して開口部１５５１に向かう流路を形成する。特に、スキャナ制御部保持部材１５２は、光学ヘッド部１０に流入する空気が光学基台１５０へ流入することを阻む壁部を有する。
【００６１】
このような構成により、ＯＣＴ装置１は、高熱源の温度上昇を効率的に抑制することができる。また、ＯＣＴ装置１内への外気からの粉塵流入による光学部材への影響を最小限に抑えることができる。
【００６２】
さらに、本実施形態では、光学基台１５０を挟んでスキャナ制御部５０の逆側に光ファイバ１２５−１乃至１２５−４を含むカプラ光学系１２５−５を保持するファイバ保持部材１５１を備える。このため、スキャナ制御部保持部材１５２によって形成される流路を流れる空気はカプラ光学系１２５−５に流入しないため、温度上昇による光ファイバの熱膨張等を抑制することができる。
【００６３】
また、ＯＣＴ装置１は、開口部１５５１の近傍に設けられたファン１５４と、スキャナ制御部５０の温度を検知する温度センサ５１を更に備える。ファン１５４は、温度センサ５１の検知結果に基づいて制御される。特に本実施形態では、スキャナ制御部５０の温度が第一の閾値以上になったら、ファン１５４の出力が上げられる。また、スキャナ制御部５０の温度が第一の閾値よりも低い温度である第二の閾値以下になったら、ファン１５４の出力が下げられる。
【００６４】
このような構成により、ＯＣＴ装置１は、空冷流路に空気を効率的に流すことができる。また、ファン１５４の出力を熱源の温度に応じて制御することで、ＯＣＴ装置１が過熱することを抑制することができる。また、熱源の温度が第一の閾値よりも低い温度である第二の閾値以下になったらファン１５４の出力を下げることで、ファン１５４による消費電力を下げるとともに、ファン１５４による騒音等を抑制することができる。
【００６５】
なお、本実施形態では、空冷流路を構成すべき、スキャナ制御部５０やスキャナ制御部保持部材１５２、開口部１５５１等が設けられる面を、ＯＣＴ装置１の左側面とした。しかしながら、当該面は左側面に限られない。スキャナ制御部５０や開口部１５５１等が設けられる面は、顔受け部４０が無い３側面、言い換えると顔受け側を除く３側面のうちのどの面であってもよい。この場合、スキャナ制御部５０で温められた空気が被検者に直接当たることを防止し、被検者に不快感を与えることを防止できる。
【００６６】
なお、本実施形態では、ファン１５４を設けたが、ファン１５４は必ずしも設けなくてもよい。ファン１５４が設けられない場合でも、スキャナ制御部５０が発熱することで、光学ヘッド部１０内の流路ＦＬ１−２において上昇気流が発生する。また、空気は最短の流路で流れる傾向があるため、流路ＦＬ１−１に従って流入した外気は、流路ＦＬ１−２に従ってスキャナ制御部５０を経由し、流路ＦＬ１−３に従って流出する。
【００６７】
そのため、この場合でも、外気は他の熱源により温度上昇することなく、高熱源であるスキャナ制御部５０へ流入することになるので、より効率的に高熱源を冷却することができる。さらに、流入した外気が、光学部材を含む光学基台１５０を経由しないため、外環境からの粉塵が、光学基台１５０に流入することを抑制し、光学部材の汚れといった光学性能への粉塵影響を低減することができる。
【００６８】
［第二実施形態］
高熱源であるスキャナ制御部５０は放出される電波強度が強いものを使用せざるを得ないことがある。一方で、ＯＣＴ装置が医療機器として使用される場合、法規的に装置としての電波の放射ノイズが制限される。これに対し、要素による放射ノイズをそのままに、装置全体での放射ノイズを低減する方法として、放出電波強度の強い要素を金属で密閉することで、電磁シールドを構成することが挙げられる。しかしながら、スキャナ制御部５０を金属で完全に密閉してしまうと、第一実施形態に係る空冷流路のような空気の流路を形成することができずに高熱源の空冷ができなくなってしまう。
【００６９】
そこで、第二実施形態では、空冷と放射ノイズ低減を両立するようにＯＣＴ装置を構成する。以下、図６（ａ）及び（ｂ）を参照して本実施形態に係る空冷流路の構成について説明する。図６（ａ）は本実施形態に係るＯＣＴ装置の概略側面図であり、図６（ｂ）は図６（ａ）に示される線６Ｂ−６Ｂに沿った本実施形態に係るＯＣＴ装置の概略断面図である。なお、本実施形態に係るＯＣＴ装置におけるスキャナ制御部保持部材、ファン、及びスキャナ制御カバー以外の構成は、第一実施形態に係るＯＣＴ装置１における構成と同様であるため、同一の参照符号を用いて示し、説明を省略する。
【００７０】
本実施形態に係るＯＣＴ装置２では、図６（ｂ）に示されるように、スキャナ制御部保持部材２００は、第一実施形態同様、スキャナ制御部５０を保持し、スキャナ制御部５０を光学基台１５０から熱的に離間している。また、本実施形態に係るＯＣＴ装置２には、スキャナ制御部５０を覆うように配置されているスキャナ制御部カバー２０１（熱源カバー）が設けられている。スキャナ制御部カバー２０１は、スキャナ制御部５０を覆うことで、スキャナ制御部保持部材２００とともに、空気の流れを制限するための壁部を形成し、空気の流路を形成することができる。
【００７１】
本実施形態では、スキャナ制御部保持部材２００の材料は板厚２ｍｍのアルミニウム、スキャナ制御部カバー２０１の材料は板厚１ｍｍの鉄である。これらの材料は基本的に金属材料であればよく、例えば、高透磁率である鉄、又は高伝導率であるアルミニウムを用いることができる。また、板厚は厚い方が放射ノイズ低減に効果的ではあるが、小型化の観点から必要以上に厚みを持たないようにすることができる。例えば、放射電波ノイズの帯域として医療機器において重要となる１ＧＨｚ以下の帯域を対象として考えると、板厚は、鉄であれば０．１ｍｍ以上、アルミニウムであれば１ｍｍ以上とすることができる。
【００７２】
スキャナ制御部保持部材２００とスキャナ制御部カバー２０１の接触部は開口部が無いものとすることもできるが、全面を溶接することは組立性や分解性から考えて適切でない。そのため、例えば、ねじによる一定間隔の導通により、スキャナ制御部保持部材２００とスキャナ制御部カバー２０１を接続させることができる。この場合、例えば先述の帯域を対象とすると、ねじの間隔は１００ｍｍ以下とすることができる。
【００７３】
本実施形態に係るＯＣＴ装置２では、ファン２０２がスキャナ制御部カバー２０１によって保持される。ファン２０２は、排気ファンの一例であり、第一実施形態同様、ヘッド外装カバー１５５の開口部１５５１の正面に対応するように配置される。なお、ファン２０２はヘッド外装カバー１５５に設けられてもよい。また、ファン２０２の制御は第一の実施形態におけるファン１５４の制御と同様に行われてよい。
【００７４】
スキャナ制御部カバー２０１には、ファン２０２の正面に位置する装置側面部分と底面にルーバ等の開口部２０１１，２０１２がそれぞれ設けられている。そのため、これら開口部２０１１，２０１２により、スキャナ制御部カバー２０１内の空気の吸排気を行うことができる。スキャナ制御部カバー２０１の開口部２０１１，２０１２の穴の直径は、例えば、先述の帯域を対象とした場合、１つ当たり１０ｍｍ以下とすることができる。なお、光学ヘッド部１０への空冷流路の流入出口については第一実施形態と同じであるため、説明を省略する。
【００７５】
以下、本実施形態に係るＯＣＴ装置２の構成における光学ヘッド部１０内の空気の流れについて説明する。まず、第一実施形態同様、流路ＦＬ１−１で示されるように、ヘッド外装カバー１５５とステージ外装カバー１５６の間の隙間１５５２から、外気が光学ヘッド部１０内へ流れ込む。光学ヘッド部１０内へ流入した空気は、ファン２０２の排気に引かれて、スキャナ制御部カバー２０１底面の開口部２０１２から、スキャナ制御部５０へ流入する。
【００７６】
スキャナ制御部５０に流入した空気は、流路ＦＬ１−２で示されるように、スキャナ制御部保持部材２００及びスキャナ制御部カバー２０１により流れが制限される。これにより、スキャナ制御部５０に流入した空気がスキャナ制御部保持部材２００の奥にある光学基台１５０まで流入することが阻まれる。スキャナ制御部５０を経由した空気は、流路ＦＬ１−３で示されるように、ファン２０２により、スキャナ制御部カバー２０１の側面の開口部２０１１と、ヘッド外装カバー１５５に設けられた開口部１５５１に向けて送られ、光学ヘッド部１０外へと排出される。
【００７７】
これにより、スキャナ制御部５０の空冷を維持しつつ、ＯＣＴ装置１の放射ノイズを低減することができる。さらに、スキャナ制御部保持部材２００及びスキャナ制御部カバー２０１により、第一実施形態に係るＯＣＴ装置１よりもスキャナ制御部５０回りの空気の流れを制限する機能が向上する。このため、流入した外気が、光学部材を含む光学基台１５０に流入することが更に抑制されるため、外環境からの粉塵が、光学基台１５０に流入することを更に抑制し、光学部材の汚れといった光学性能への粉塵影響を更に低減することができる。
【００７８】
上記のように、本実施形態に係るＯＣＴ装置２は、スキャナ制御部５０を覆い、略密閉するスキャナ制御部カバー２０１を更に備え、スキャナ制御部カバー２０１は、下側に吸気口である開口部２０１２を有し、側面に排気口である開口部２０１１を有する。
【００７９】
このような構成により、ＯＣＴ装置２は、高熱源の温度上昇を効率的に抑制するとともに、ＯＣＴ装置１の放射ノイズを低減することができる。また、ＯＣＴ装置１内への外気からの粉塵流入による光学部材への影響を最小限に抑えることができる。
【００８０】
なお、本実施形態に係るＯＣＴ装置２においても、第一実施形態と同様に、ファン２０２を設けなくてもよい。また、空冷流路を構成すべき、スキャナ制御部５０や開口部１５５１等が設けられる面は、顔受け部４０が無い３側面のうちのどの面であってもよい。
【００８１】
［第三実施形態］
高熱源となりうるものに関して、スキャナ制御部５０の次点としてラインセンサ１３２が挙げられる。第一実施形態に係るＯＣＴ装置１であれば、スキャナ制御部５０近傍の流路ＦＬ１−１及び流路ＦＬ１−２の間等にラインセンサ１３２が配置されるように分光器６０を設けることもできる。しかしながら、光学ヘッド部１０の更なる小型化のために、各光学系のうち、偏光変動に影響の無い分光器６０をベース部３０に設ける構成とすることが考えられる。この場合には、高熱源であるスキャナ制御部５０及びラインセンサ１３２が、光学ヘッド部１０とベース部３０にそれぞれ配置されることになる。
【００８２】
そこで、第三実施形態では、光学ヘッド部１０に構成した流路を邪魔することなく、ベース部３０に空冷流路を構成する。以下、図４、図７（ａ）及び図７（ｂ）を参照して、本実施形態に係る空冷流路の構成について説明する。図７（ａ）は本実施形態に係るＯＣＴ装置の概略側面図であり、図７（ｂ）は図７（ａ）に示される線７Ｂ−７Ｂに沿った本実施形態に係るＯＣＴ装置の概略断面図である。なお、本実施形態に係るＯＣＴ装置における光学ヘッド部の構成は、第二実施形態に係るＯＣＴ装置１における光学ヘッド部１０の構成と同様であるため、同一の参照符号を用いて示し、説明を省略する。
【００８３】
図４、図７（ａ）及び７（ｂ）に示されるように、本実施形態に係るベース部３０には、分光器６０、ベース外装カバー３００、及びファン３０１が設けられている。ベース外装カバー３００は、分光器６０及びファン３０１の他、不図示の電装部品を覆う。
【００８４】
ステージ部２０により、光学ヘッド部１０が水平動するとき、ステージ外装カバー１５６は水平に移動するが、ベース外装カバー３００は水平に移動しない。そのため、ステージ外装カバー１５６とベース外装カバー３００の間には装置全周に微小の隙間３０２が設けられている。また、ベース部３０におけるファン３０１の正面に対応するベース外装カバー３００の側面にはルーバ等の開口部３０３が設けられている。
【００８５】
ファン３０１は、排気ファンの一例であり、ベース部３０内において不図示のファン保持部材により保持される。なお、ファン３０１はベース外装カバー３００に設けられてもよい。また、温度センサをベース部３０に設け、第一の実施形態におけるファン１５４の制御と同様に、温度センサの検知結果に基づいてファン３０１の制御を行ってもよい。なお、ファン３０１の制御部をベース部３０に設けてもよい。
【００８６】
以下、本実施形態に係るＯＣＴ装置３の構成におけるベース部３０内の空気の流れについて説明する。まず、流路ＦＬ３−１で示されるように、ステージ外装カバー１５６とベース外装カバー３００の間の隙間３０２から、外気がベース部３０内へ流れ込む。ベース部３０へ流入した外気は、ベース部３０内を経由した後、流路ＦＬ３−２で示されるように、ファン３０１により、ベース外装カバー３００に設けられた開口部３０３に向けて送られ、ベース部３０外へと排出される。
【００８７】
上記のように、ＯＣＴ装置３は、スキャナ制御部５０とは異なる熱源であるラインセンサ１３２（第三の熱源）を更に備える。また、ＯＣＴ装置３は、吸気口である隙間３０２及び開口部３０３を有するベース外装カバー３００と、側面方向に設けられたファン３０１とを含むベース部３０を更に備える。
【００８８】
これにより、光学ヘッド部１０の空冷に影響を与えることなく、ベース部３０に空冷流路を構成することができる。このため、スキャナ制御部５０及びラインセンサ１３２を共に空冷しつつ、装置の小型化を図ることができる。
【００８９】
さらに、本実施形態では、光学ヘッド部１０及びベース部３０に設けられたファン２０２，３０１が共に排気ファンとして構成されている。そのため、ファン３０１が吸気ファンとして構成される場合と比べて、装置外環境やベース部３０からの粉塵が、ベース部３０やステージ部２０、光学ヘッド部１０内を通って移動することが抑制される。従って、装置外環境やベース部３０からの粉塵が、光学基台１５０に流入することを抑制することができ、光学部材の汚れといった光学性能への粉塵影響を低減できる。
【００９０】
なお、本実施形態に係るＯＣＴ装置３においても、第二実施形態と同様に、ファン２０２を設けなくてもよい。また、ベース部３０の空冷流路を構成する開口部３０３等が設けられる面は、顔受け部４０が無い３側面のうちのどの面であってもよい。
【００９１】
［第四実施形態］
光学ヘッド１０内で高熱源となりうるものに関して、スキャナ制御部５０の次点として光源１２４が挙げられる。第一乃至第三実施形態に係るＯＣＴ装置では、光源１２４はカプラ光学系１２５−５として、ファイバ保持部材１５１に保持されている。しかしながら、光源１２４が高熱源であった場合、ファイバ近傍に熱源を配置すると、ファイバの熱膨張等の影響によりファイバが動き、ファイバを通る光の偏光に影響が生じる場合がある。
【００９２】
そこで、第四実施形態では光学ヘッド部１０内の２つの高熱源（スキャナ制御部５０及び光源１２４）を空冷できるＯＣＴ装置を構成する。以下、図８（ａ）及び（ｂ）を参照して、本実施形態に係る空冷流路の構成について説明する。図８（ａ）は本実施形態に係るＯＣＴ装置の概略側面図であり、図８（ｂ）は図８（ａ）に示される線８Ｂ−８Ｂに沿った本実施形態に係るＯＣＴ装置の概略断面図である。なお、本実施形態に係るＯＣＴ装置における支持部材、ヘッド外装カバー、ファン、及びスキャナ制御部カバー以外の構成は、第二実施形態に係るＯＣＴ装置２における構成と同様であるため、同一の参照符号を用いて示し、説明を省略する。
【００９３】
本実施形態に係るＯＣＴ装置４では、図８（ｂ）に示されるように、支持部材４５３は、光源１２４を光学ヘッド１０の上部側（装置上部側）において、光学基台１５０に直接接触しないように保持している。このため、支持部材４５３は、光源１２４を光学基台１５０から熱的に離間させることができる。また、支持部材４５３は、第二実施形態における支持部材１５３同様、スキャナ制御部保持部材２００も光学基台１５０に直接接触しないよう保持し、スキャナ制御部保持部材２００も光学基台１５０から熱的に離間させることができる。さらに、支持部材４５３自体も光学基台１５０に直接接触しないようにファイバ保持部材１５１に設けられており、光学基台１５０から熱的に離間されている。なお、支持部材４５３はスキャナ制御部保持部材２００の一部として構成されてもよいし、ファイバ保持部材１５１の一部として構成されてもよい。
【００９４】
ヘッド外装カバー４５５は、第一実施形態のヘッド外装カバー１５５と同様であるが、本実施形態では、空気の流れを制限するための壁部４０２が更に設けられている。なお、壁部４０２は、ヘッド外装カバー４５５の強度確保のための形状としても活用できる。
【００９５】
スキャナ制御部カバー４０１は、第二実施形態のスキャナ制御部カバー２０１と同様であるが、上面部に開口部４０１３が更に設けられている。開口部４０１３の形状は、開口部２０１１，２０１２と同様であってよい。
【００９６】
本実施形態に係るＯＣＴ装置４では、光学ヘッド部１０内における高熱源が増えたため、ファン４０４を２つのファンで構成している。ファン４０４はスキャナ制御部カバー４０１によって保持される。ファン４０４は、排気ファンの一例であり、第二実施形態同様、開口部１５５１，２０１１の正面に対応するように配置される。なお、ファン４０４は、排気量の大きい１つのファンで構成してもよいし、３つ以上のファンで構成してもよい。また、２つ以上のファンの配置は横並びに限定されず、縦並びや斜めの並び、円状の並び等、任意の並びであってよい。さらに、ファン４０４はヘッド外装カバー４５５に設けられてもよい。なお、ファン４０４の制御は第一の実施形態におけるファン１５４の制御と同様に行われてよい。
【００９７】
以下、本実施形態に係るＯＣＴ装置４の構成における光学ヘッド部１０内の空気の流れについて説明する。流路ＦＬ１−１，ＦＬ１−２，ＦＬ１−３は、第二実施形態での流路と同じであるため、説明を省略する。まず、流路ＦＬ４−１で示されるようにヘッド外装カバー４５５とステージ外装カバー１５６の間の隙間１５５２から、外気が光学ヘッド部１０内へ流れ込む。光学ヘッド部１０内へ流入した空気は、流路ＦＬ４−２で示されるように、ファン４０４の排気に引かれて、装置上部の光源１２４を経由し、光源１２４を冷却する。光源１２４を経由した空気は、流路ＦＬ４−３で示されるように、ヘッド外装カバー４５５の壁部４０２によって流路を制限され、光学基台１５０及びカプラ光学系１２５−５に流入することなく、開口部４０１３からスキャナ制御部５０へ流入する。
【００９８】
スキャナ制御部５０に流入した空気は、流路ＦＬ４−４で示されるように、スキャナ制御部保持部材２００及びスキャナ制御部カバー４０１により流れが制限される。これにより、スキャナ制御部５０に流入した空気がスキャナ制御部保持部材２００の奥にある光学基台１５０まで流入することが阻まれる。スキャナ制御部５０を経由した空気は、流路ＦＬ４−４で示されるように、ファン４０４により、スキャナ制御部カバー４０１の側面の開口部２０１１と、ヘッド外装カバー４５５に設けられた開口部１５５１に向けて送られ、光学ヘッド部１０外へと排出される。
【００９９】
上記のように、ＯＣＴ装置４は、スキャナ制御部５０とは異なる熱源である光源１２４（第二の熱源）と、光学基台１５０から熱的に離間するように光源１２４を保持する支持部材４５３（第二の熱源保持部材）を更に備える。また、ＯＣＴ装置４は、スキャナ制御部５０を覆い、略密閉するスキャナ制御部カバー４０１を更に備える。スキャナ制御部カバー４０１は、下側に吸気口である開口部２０１２を有し、側面に排気口である開口部２０１１を有し、上側に吸気口である開口部４０１３を有する。また、ＯＣＴ装置４のヘッド外装カバー４５５は、光源１２４を経由した空気が光学基台１５０へ流入することを阻む壁部４０２を有する。支持部材４５３及び壁部４０２は、光学ヘッド部１０に流入する空気が光学基台１５０を経由せずに、光源１２４を経由するように、ヘッド外装カバー４５５の開口部１５５１への空気の流路を形成する。
【０１００】
これにより、スキャナ制御部５０の空冷を維持しつつ、光源１２４の空冷流路を形成することができる。
【０１０１】
第一乃至第四実施形態では、光学ヘッド部１０に含まれる光学系における分割手段としてカプラを使用したファイバ光学系を用いているが、コリメータとビームスプリッタを使用した空間光学系を用いてもよい。また、光学ヘッド部１０に含まれる光学系の構成は、上記の構成に限られず、当該光学系に含まれる構成の一部を光学ヘッド部１０と別体の構成としてもよい。
【０１０２】
さらに、第一乃至第四実施形態では、ＯＣＴ装置として、ＳＬＤを光源として用いたスペクトラルドメインＯＣＴ（ＳＤ−ＯＣＴ）装置について述べたが、本発明によるＯＣＴ装置の構成はこれに限られない。例えば、出射光の波長を掃引することができる波長掃引光源を用いた波長掃引型ＯＣＴ（ＳＳ−ＯＣＴ）装置等の他の任意の種類のＯＣＴ装置にも本発明を適用することができる。例えば、本発明が適用されるＯＣＴ装置は、タイムドメインＯＣＴ（ＴＤ−ＯＣＴ）装置や補償光学系を含んだＡＯ−ＯＣＴ装置や血管像を撮影するＯＣＴＡ装置、偏光変化を計測するＰＳ−ＯＣＴ装置等であってもよい。
【０１０３】
また、本発明が適用される眼科装置はＯＣＴ装置に限られず、走査光学系を有する走査型の眼科装置等であってもよい。そのため、例えば、補償光学系を含んだＡＯ−ＳＬＯ装置等の任意のＳＬＯ装置に本発明を適用してもよい。
【０１０４】
以上、実施形態を参照して本発明について説明したが、本発明は上記実施形態に限定されるものではない。本発明の趣旨に反しない範囲で変更された発明、及び本発明と均等な発明も本発明に含まれる。また、上述の各実施形態は、本発明の趣旨に反しない範囲で適宜組み合わせることができる。
【符号の説明】
【０１０５】
１０：光学ヘッド部、５０：スキャナ制御部（熱源）、１５０：光学基台、１５２：スキャナ制御部保持部材（熱源保持部材）、１５５：ヘッド外装カバー、１５５１：開口部（排気口）、１５５２：隙間（吸気口）
【図１】
2020162804.tif 000003
【図２】
2020162804.tif 000004
【図３】
2020162804.tif 000005
【図４】
2020162804.tif 000006
【図５】
2020162804.tif 000007
【図６】
2020162804.tif 000008
【図７】
2020162804.tif 000009
【図８】
2020162804.tif 000010